(57)【要約】【課題】比較的簡単な方法で照明光の配光を制御できる照明装置を提供する。【解決手段】照明装置１は、光源２と、導光板３と、を備える。導光板３は、光源２からの光Ｌ１を導光する。導光板３は、入射面３５と、反射面３６と、出射面３７と、を有する。入射面３５は、光Ｌ１を入射する。反射面３６は、入射面３５と交差しており、入射面３５に入射した光Ｌ１であって導光板３内を伝搬する伝搬光を反射する。出射面３７は、反射面３６と対向し、反射面３６で反射した反射光を含む伝搬光を導光板３の外に出射する。反射面３６は、底面３６１と、凸部３６２と、有する。底面３６１は、出射面３７に対向する。凸部３６２は、底面３６１から、出射面３７から離れる向きに突出する。【選択図】図１
2020123461.tif 000002
【特許請求の範囲】
【請求項１】
光源と、前記光源からの光を導光する導光板と、を備え、
前記導光板は、
前記光を入射する入射面と、
前記入射面と交差しており、前記入射面に入射した前記光であって前記導光板内を伝搬する伝搬光を反射する反射面と、
前記反射面と対向し、前記反射面で反射した反射光を含む前記伝搬光を前記導光板の外に出射する出射面と、を有し、
前記反射面は、
前記出射面に対向する底面と、前記底面から、前記出射面から離れる向きに突出する凸部と、有する、
照明装置。
【請求項２】
前記底面は、前記入射面と前記凸部との間に配置されている、
請求項１に記載の照明装置。
【請求項３】
前記底面、及び前記凸部における突出方向の端面の少なくとも一方は、平坦な面である、
請求項１又は２に記載の照明装置。
【請求項４】
前記凸部における突出方向の端面は、凸面又は凹面である、
請求項１〜３の何れか１項に記載の照明装置。
【請求項５】
前記凸部の側面は、前記凸部の突出方向における基端側から先端側に向かって、前記凸部の内側に傾斜している、
請求項１〜４の何れか１項に記載の照明装置。
【請求項６】
前記凸部の側面は、前記凸部の突出方向における基端側から先端側に向かって湾曲している、
請求項１〜５の何れか１項に記載の照明装置。
【請求項７】
前記凸部は、前記出射面の法線方向から見て、円形状である、
請求項１〜６の何れか１項に記載の照明装置。
【請求項８】
前記凸部を第１凸部とし、
前記反射面は、前記第１凸部と同じ方向に突出する第２凸部を更に有し、
前記第１凸部は、前記出射面の法線方向から見て、環状であり、
前記第２凸部は、前記第１凸部の内側に配置されている、
請求項１〜６の何れか１項に記載の照明装置。
【請求項９】
前記導光板のうち、前記出射面と前記底面との間の部分である導光板本体は、前記出射面の法線方向から見て、円形の板状である、
請求項７又は８に記載の照明装置。
【請求項１０】
前記凸部は、前記出射面の法線方向から見て、多角形状である、
請求項１〜６の何れか１項に記載の照明装置。
【請求項１１】
前記導光板のうち、前記出射面と前記底面との間の部分である導光板本体は、前記出射面の法線方向から見て、多角形状である、
請求項１０に記載の照明装置。
【請求項１２】
請求項１〜１１の何れか１項に記載の照明装置と、
前記照明装置を支持する器具本体と、を備える、
照明器具。
【発明の詳細な説明】
【技術分野】
【０００１】
本開示は、一般に照明装置及び照明器具に関し、より詳細には、導光板を備えた照明装置及び照明器具に関する。
【背景技術】
【０００２】
特許文献１に記載の照明装置は、光源と導光板とを備えている。導光板は、板状である。導光板は、入射面、反射面、及び出射面（すなわち発光面）を有する。入射面は、導光板の外周側面で構成されている。反射面は、平面であり、導光板の裏側主面で構成されている。出射面は、平面であり、導光板の前側主面で構成されている。この照明装置では、光源からの光は、導光板の入射面から導光板内に入射し、導光板内で反射面と出射面の間で反射を繰り返して、出射面から外部に射出される。
【先行技術文献】
【特許文献】
【０００３】
【特許文献１】特開２０１７−１２６４１３
【発明の概要】
【発明が解決しようとする課題】
【０００４】
特許文献１に記載の照明装置では、導光板の反射面が平面であるため、導光板の反射面での反射によって、照明光（すなわち導光板から出射される光）の配光を制御することが難しい。
【０００５】
本開示は、比較的簡単な方法で照明光の配光を制御できる照明装置、及び照明装置を備えた照明器具を提供することを目的とする。
【課題を解決するための手段】
【０００６】
本開示の一態様に係る照明装置は、光源と、導光板と、を備える。前記導光板は、前記光源からの光を導光する。前記導光板は、入射面と、反射面と、出射面と、を有する。前記入射面は、前記光を入射する。前記反射面は、前記入射面と交差しており、前記入射面に入射した前記光であって前記導光板内を伝搬する伝搬光を反射する。前記出射面は、前記反射面と対向し、前記反射面で反射した反射光を含む前記伝搬光を前記導光板の外に出射する。前記反射面は、底面と、凸部とを、有する。前記底面は、前記出射面に対向する。前記凸部は、前記底面から、前記出射面から離れる向きに突出する。
【０００７】
本開示の一態様に係る照明器具は、前記照明装置と、前記照明装置を支持する器具本体と、を備える。
【発明の効果】
【０００８】
本開示によれば、比較的簡単な方法で照明光の配光を制御できる、という利点がある。
【図面の簡単な説明】
【０００９】
【図１】図１Ａは、実施形態１に係る照明装置を示す斜視図である。図１Ｂは、図１ＡのＸ１−Ｘ１線断面図である。
【図２】図２は、光学パターンの拡大図である。
【図３】図３は、実施形態１における導光板内での光の反射の様子を示す断面図である。
【図４】図４は、同上の導光板の配光特性を示す図である。
【図５】図５は、実施形態１の変形例１に係る照明装置を示す斜視図である。
【図６】図６は、実施形態１の変形例１における導光板の配光特性を示す図である。
【図７】図７は、実施形態１の変形例２における導光板を示す断面図である。
【図８】図７は、実施形態１の変形例３における導光板の一部を示す部分断面図である。
【図９】図９Ａは、実施形態２に係る照明装置を示す斜視図である。図９Ｂは、図９ＡのＸ３−Ｘ３線断面図である。
【図１０】図１０は、実施形態２における導光板の配光特性を示す図である。
【図１１】図１１Ａは、実施形態２の変形例１に係る照明装置を示す斜視図である。図１１Ｂは、図１１ＡのＸ４−Ｘ４線断面図である。
【図１２】図１２は、実施形態２の変形例１における導光板の配光特性を示す図である。
【図１３】図１３Ａは、実施形態２の変形例２に係る照明装置の斜視図である。図１３Ｂは、図１３ＡのＸ５−Ｘ５線断面図である。
【図１４】図１４は、実施形態２の変形例２における導光板の配光特性を示す図である。
【図１５】図１５Ａは、実施形態３に係る照明装置を示す斜視図である。図１５Ｂは、図１５ＡのＸ６−Ｘ６線断面図である。
【図１６】図１６は、実施形態３における導光板の配光特性を示す図である。
【図１７】図１７Ａは、実施形態４に係る照明装置を示す斜視図である。図１７Ｂは、図１７ＡのＸ７−Ｘ７線断面図である。
【図１８】図１８は、実施形態４における導光板の配光特性を示す図である。
【図１９】図１９は、実施形態４の変形例１に係る照明装置を示す斜視図である。
【図２０】図２０は、実施形態５に係る照明器具を示す部分断面図である。
【図２１】図２１は、実施形態５の変形例１に係る照明器具を示す部分断面図である。
【発明を実施するための形態】
【００１０】
（実施形態１）
図１〜図４を参照して、本実施形態に係る照明装置１について説明する。
【００１１】
照明装置１は、例えば、建築物の天井板等に設置されて、室内の空間及び床面を照明する照明器具に搭載可能な照明装置である。なお、上記の照明器具は、天井埋込み型であってもよいし、天井直付け型であってもよい。
【００１２】
図１Ａに示すように、照明装置１は、光源２と、導光板３とを備えている。光源２は、可視光（以下、単に「光」と記載する）を出射する。導光板３は、光源２から出射された光を導光して面状に出射する。
【００１３】
光源２は、例えば発光ダイオードである。以下、発光ダイオードをＬＥＤ（LightEmitting Diode）と記載する。ＬＥＤは、例えば、パッケージ型の照明用白色ＬＥＤである。ただし、光源２は、ＬＥＤに限定されず、例えば有機ＥＬ（Electro-Luminescence）素子等であってもよい。光源２は、複数備えられている。複数の光源２は、導光板３の後述の入射面３５の正面に配置されている。複数の光源２は、入射面３５における長手方向（周方向）の全体にわたって、互いに間隔を空けて並んでいる。
【００１４】
導光板３は、例えば平面視円形の板状である。導光板３は、導光板本体３１と、凸体部３２とを有する。
【００１５】
導光板本体３１は、前面３１ａと、裏面３１ｂと、外周側面３１ｄとを有する。前面３１ａは、導光板本体３１の両側の主面のうちの前側の主面である。裏面３１ｂは、導光板本体３１の両側の主面のうちの裏側の主面である。外周側面３１ｄは、前面３１ａの外周辺と裏面３１ｂの外周辺とを繋ぐ面である。裏面３１ｂは、周縁部３１ｃと中央部とを有する。上記の中央部は、裏面３１ｂのうちの周縁部３１ｃ以外の部分である。導光板本体３１は、例えば、導光板３の前面３１ａ（すなわち後述の出射面３７）の法線Ａ１方向から見て、円形の板状である。なお、導光板本体３１は、導光板３のうち、前面３１ａと裏面３１ｂとの間の部分（すなわち導光板３の後述の出射面３７と後述の底面３６１との間の部分）である。
【００１６】
凸体部３２は、例えば、円錐台状に形成されている。凸体部３２の大きい方の底面の直径は、導光板本体３１の直径よりも小さい。凸体部３２の厚さは、本実施形態では、導光板本体３１の厚さと同じ位の厚さであるが、導光板本体３１の厚さと比べて、同じでもよいし、大きくてもよいし、小さくてもよい。凸体部３２は、導光板本体３１の裏面３１ｂから突出している。凸体部３２は、導光板本体３１の裏面３１ｂの中央部を覆うように設けられている。なお、裏面３１ｂにおいて凸体部３２の外側に位置する周縁部３１ｃは、凸体部３２と同様に導光板本体３１の裏面３１ｂに露出している。
【００１７】
導光板３は、入射面３５と、反射面３６と、出射面３７とを有する。入射面３５は、光源２から出射された光が入射する面である。反射面３６は、入射面３５と交差（図１Ａ及び図１Ｂの図示例では直交）しており、入射面３５に入射した光であって導光板３内を伝搬する伝搬光を反射する面である。出射面３７は、反射面３６と対向し、反射面３６で反射した反射光を含む伝搬光を導光板３の外に出射する面である。出射面３７は、光源２からの光を出射することで発光する発光面として機能する。
【００１８】
入射面３５は、導光板本体３１の外周側面３１ｄによって構成されている。入射面３５は、例えば、出射面３７に直交している。すなわち、入射面３５は、出射面３７の法線Ａ１に平行である。法線Ａ１は、出射面３７に直交する仮想の線である。
【００１９】
反射面３６は、底面３６１と、凸部３６２とを有する。
【００２０】
底面３６１は、導光板３の前面３１ａ（すなわち出射面３７）と対向する面である。底面３６１は、例えば円環状（すなわち中央孔を有する円形状）である。底面３６１は、導光板本体３１の裏面３１ｂのうちの露出した部分（すなわち周縁部３１ｃ）によって形成されている。
【００２１】
凸部３６２は、底面３６１から、出射面３７から離れる向きに突出する（すなわち突出方向Ａ２に突出する）面である。凸部３６２は、底面３６１の上記の中央孔を覆うように配置されている。凸部３６２は、出射面３７の法線Ａ１方向から見て、円板状である。凸部３６２は、凸体部３２における露出した表面（すなわち外周側面３２ａ及び端面３２ｂ）によって構成されている。
【００２２】
凸部３６２は、外周側面３６２ａと端面３６２ｂとを有する。端面３６２ｂは、凸体部３２の端面３２ｂによって構成され、外周側面３６２ａは、凸体部３２の外周側面３２ａによって構成されている。
【００２３】
凸部３６２の端面３６２ｂは、凸部３６２が突出する方向（すなわち突出方向Ａ２）の端面である。凸部３６２の外周側面３６２ａ（側面）は、凸部３６２における突出方向Ａ２の基端側から先端側に向かって、凸部３６２の内側に傾斜している。凸部３６２の基端側とは、導光板本体３１側であり、凸部３６２の先端側とは、端面３６２ｂ側である。外周側面３６２ａは、導光板３の入射面３５よりも、底面３６１の幅Ｈ１（図１参照）分、導光板３の内側に配置されている。すなわち、底面３６１は、入射面３５と外周側面３６２ａとの間に配置されている。
【００２４】
出射面３７は、導光板本体３１の前面３１ａによって構成されている。出射面３７は、例えば円形である。
【００２５】
導光板３は、複数の光学パターン３８を有する。光学パターン３８は、導光板３内を伝搬する伝搬光を散乱反射する微小光学素子である。複数の光学パターン３８は、反射面３６の底面３６１及び端面３６２ｂに設けられている。本実施形態では、複数の光学パターン３８は、底面３６１の全体及び端面３６２ｂの全体にわたって、規則正しく設けられている。例えば、複数の光学パターン３８は、導光体３の中心を中心とする同心円に沿って等間隔に並ぶように設けられている。なお、複数の光学パターン３８は、不規則に設けられてもよい。例えば、複数の光学パターン３８は、底面３６１及び端面３６２ｂにおいてランダムに配置されてもよい。
【００２６】
光学パターン３８は、図２に示すように、反射面３６の底面３６１及び端面３６２ｂから凹状に窪んだ形に形成されている。より詳細には、光学パターン３８は、例えば、微小な半球形の凹状である。本実施形態では、光学パターン３８は、直径が例えば０．５ｍｍの半球形の凹状である。なお、光学パターン３８の形状は、半球形に限定されず、例えば円錐形又は四角錐形であってもよく、導光板３内を伝搬する光を散乱反射可能な形状であれば、どのような形状であってもよい。
【００２７】
導光板３は、可視光を透過する部材で形成されている。このような部材として、例えば、アクリル樹脂、ポリカーボネート樹脂、及び硝子などが挙げられる。
【００２８】
次に図３を参照して、光源２からの光が導光板３内で反射する様子を説明する。複数の光源２の各々からの光が導光板３内で反射する様子は、互いに同じである。このため、以下の説明では、複数の光源２のうちの１つの光源２Ｓに着目して、その光源２Ｓからの光が導光板３内を反射する様子を例に挙げて説明する。
【００２９】
光源２Ｓから射出された光Ｌ１は、入射面３５から導光板３内に入射する。その入射した光（入射光）Ｌ１は、導光板３内を、反射面３６と出射面３７との間で反射を繰り返しながら伝搬する。その際、その入射光Ｌ１の一部Ｌ２は、出射面３７から導光板３の外に出射されて、照明光となる。
【００３０】
より詳細には、入射光Ｌ１の一部（例えば光Ｌ３，Ｌ４）は、凸部３６２の内面（すなわち端面２６２ｂ又は外周側面３６２ａ）で反射することで、様々な方向に伝搬し易くなる。このように凸部３６２の内面での反射によって、照明光の配光を制御できる。
【００３１】
また、入射光Ｌ１の一部（例えば光Ｌ３）は、凸部３６２の端面３６２ｂで反射したとき、端面３６２ｂに設けられた光学パターン３８（図１Ａ及び図１Ｂ参照）によって拡散反射される。このように光学パターン３８によって、照明光の配光を制御できる。
【００３２】
また、凸部３６２の側面３６２ａは、上述のように凸部３６２の内側に傾斜している。このため、入射光Ｌ１の一部（例えば光Ｌ４）は、側面３６２ａで反射したとき、出射面３７の法線Ａ１方向に反射され易くなる。すなわち、側面３６２ａで反射された光Ｌ４は、出射面３７に対する入射角α１が小さくなり易くなる。これにより、光Ｌ４は、出射面３７を透過して導光板３の外に射出され易くなる。この結果、出射面３７の光学効率が向上する。出射面３７の光学効率とは、入射光Ｌ１の光量（光束）に対する出射光Ｌ２の光量の割合である。
【００３３】
また、側面３６２ａで反射された光Ｌ４は、出射面３７の法線Ａ１方向に反射され易くなる。このため、出射光Ｌ２に、出射面３７の法線Ａ１方向に出射される光をより多く含むようにできる。
【００３４】
また、入射面３５と凸部３６２との間に底面３６１が配置されている。このため、入射光Ｌ１の一部（例えばＬ３）は、底面３６１で反射した後に、凸部３６２の内面で反射される。一部の光Ｌ３が底面３６１で反射されることで、一部の光Ｌ３の伝搬方向が様々な方向に変化する。すなわち、入射光Ｌ１は、凸部３６２の内面で反射する前に、様々な方向に伝搬する光Ｌ３を含むようになる。このように様々な伝搬方向の光Ｌ３を含む光Ｌ１が凸部３６２の内面で反射することで、その反射光は、より一層様々な方向に伝搬する。このように入射面３５と凸部３６２の間に底面３６１が配置されることで、照明光の配光を制御できる。
【００３５】
また、入射光Ｌ１の一部（例えば光Ｌ３）は、底面３６１で反射したとき、底面３６１の光学パターン３８（図１Ａ及び図１Ｂ参照）によって拡散反射される。これにより、底面３６１で反射された光Ｌ３は、より一層様々な方向に伝搬する。このように底面３６１の光学パターン３８によって、照明光の配光を制御できる。
【００３６】
図４を参照して、導光板３の配光特性について説明する。導光板３の配光特性とは、導光板３の出射面３７から出射された出射光が、どの方向にどれ位の光強度（例えば単位：ｃｄ（Candela））で射出されるかを示す特性である。図４は、導光板３における、所定の仮想平面上で見た配光特性を示す。上記の所定の仮想平面は、例えば、出射面３７の中心を含み、かつ出射面３７に垂直である。
【００３７】
図４に示す配光特性は、図４のグラフの中心を原点とし、原点を中心とする円の周方向が、出射面３７からの出射光の出射方向を示す。なお、図４の出射方向において、０度の方向（図４の紙面の下方向）が出射面３７の法線Ａ１方向に対応する。また、図４の出射方向において、上記の所定の仮想平面上にて法線Ａ１から一方に傾斜する方向を＋方向とし、法線Ａ１から反対方向に傾斜する方向を−方向としている。
【００３８】
図４から分かるように、本実施形態の導光板３は、約−５０度〜＋５０度の範囲（すなわち広角と狭角の中間の範囲）に照明光の配光を制御できることが分かる。また、この場合の光学効率は、５７．９５５％となり、良好な値（すなわち比較的高い光学効率）となる。
【００３９】
以上、本実施形態に係る照明装置１によれば、導光板３の反射面３６は、底面３６１から、出射面３７から離れる向きに突出する凸部３６２を有する。このため、光源２から導光板３内に入射した入射光Ｌ１は、凸部３６２の内面で反射することで、導光板３内において様々な方向に伝搬し易くなる。これにより、凸部３６２の内面での反射によって（すなわち比較的簡単な方法によって）、照明光の配光を制御できる。
【００４０】
（実施形態１の変形例及び他の実施形態）
以下、実施形態１の変形例、及び他の実施形態（変形例を含む）について説明する。以下の説明では、実施形態１と同じ構成要素については、同じ符号を付して説明を省略する場合がある。なお、実施形態１（変形例を含む）及び他の実施形態（変形例を含む）の組み合わせも実施可能である。
【００４１】
（実施形態１の変形例）
（変形例１）
実施形態１において、図５に示すように、底面３６１の光学パターン３８は、省略されてもよい。すなわち、底面３６１は、平坦な平面であってもよい。なお、上記の平坦とは、光学パターン３８のような凸凹が無いという意味である。
【００４２】
この場合の導光板３の配光特性は、図６に示すように、実施形態１の場合（図４参照）とほぼ同じであり、約−５０度〜＋５０度の範囲（すなわち広角と狭角の中間の範囲）に照明光の配光を制御できることが分かる。また、この場合の光学効率は、５６．３０９％となり、底面３６１の光学パターン３８が省略された分、実施形態１の場合の光学効率（＝５７．９５５％）よりも少し小さくなるが、良好な値（すなわち比較的高い光学効率）である。
【００４３】
本変形例によれば、平坦な平面である底面３６１は製造コストが比較的低いため、比較的簡単な方法によって照明光の配光を制御しつつ、製造コストを低減できる。
【００４４】
なお、本変形例では、実施形態１において、反射面３６の底面３６１の光学パターン３８を省略して底面３６１を平坦な面にしている。ただし、底面３６１の光学パターン３８を省略する代わりに、反射面３６の端面３６２ｂの光学パターン３８を省略して端面３６２ｂを平坦な面にしてもよいし、底面３６１及び端面３６２ｂの両方の光学パターン３８を省略して底面３６１及び端面３６２ｂの両方を平坦な面にしてもよい。これらの場合でも、実施形態１の場合と同様に、凸部３６２の内面での反射によって（すなわち比較的簡単な方法によって）照明光の配光を制御できる。
【００４５】
（変形例２）
実施形態１では、凸部３６２の外周側面２６２ａは、凸部３６２の内側に傾斜するが、図７に示すように、凸部３６２の外周側面２６２ａは、底面３６１に直交する面であってもよい。この場合も、実施形態１の場合と同様に、凸部３６２の内面での反射によって（すなわち比較的簡単な方法によって）照明光の配光を制御できる。
【００４６】
（変形例３）
実施形態１において、入射面３５は、出射面３７に直交するが、図８に示すように、入射面３５は、出射面３７側から底面３６１側に向かって、導光板本体３１の外周側に傾斜すると共に導光板本体３１の内側に凸となるように、湾曲する曲面であってもよい。これにより、光源２からの光が、光源２と導光板本体３１との間から底面３６１側に漏れることを抑制できる。
【００４７】
（実施形態２）
本実施形態は、図９Ａ及び図９Ｂに示すように、実施形態１と比べて、導光板３の底面３６１及び端面３６２ｂの各々の光学パターン３８が省略されている点が異なる。また、本実施形態は、実施形態１と比べて、導光板３の凸部３６２の外周側面３６２ａが湾曲している点が異なる。すなわち、本実施形態では、凸部３６２は、外周側面３６２ａが湾曲し、端面３６２ｂが平坦な平面である凸部である。
【００４８】
より詳細には、凸部３６２の外周側面３６２ａ（側面）は、凸部３６２の突出方向Ａ２における基端側から先端側に向かって、凸部３６２の外周側に凸となるように、湾曲していている。また、外周側面３６２ａは、凸部３６２の突出方向Ａ２における基端側から先端側に向かって、凸部３６２の内側に傾斜している。なお、上記の基端側とは、導光板本体３１側であり、上記の先端側とは、端面３６２ｂ側、換言すれば、導光板本体３１から離れる方向の側である。
【００４９】
図９Ｂに示すように、外周側面３６２ａは、例えば、上縁部Ｆ１と主面部Ｆ２とを有する。上縁部Ｆ１は、外周側面３６２ａにおける突出方向Ａ２の先端側の縁部であり、例えば、外周側面３６２ａにおける突出方向Ａ２の範囲のうちの上側の３分の１程度の範囲である。主面部Ｆ２は、外周側面３６２ａのうちの上縁部Ｆ１以外の部分であり、例えば、外周側面３６２ａにおける突出方向Ａ２の範囲のうちの下側の３分の２程度の範囲である。上縁部Ｆ１での湾曲の曲率は、例えば、主面部Ｆ２での湾曲の曲率よりも大きい。これにより、出射面３７の中央部の光度の低下を抑制できる。この結果、照明光の配光を均一にできる。なお、本実施形態では、外周側面３６２ａは、上記のように、突出方向Ａ２において部分的に曲率が異なるが、突出方向Ａ２の全体にわたって一定の曲率でもあってもよい。
【００５０】
本実施形態の導光板３の配光特性は、図１０に示すように、約−３０度〜＋３０度の範囲（すなわち広角と狭角の中間の範囲）において、光強度が大凡３００ｃｄ程度になり、大凡均等に配光している。これにより、本実施形態の導光板３でも、広角と狭角の中間の範囲に照明光の配光を制御できることが分かる。また、この場合の光学効率は、５２．８５２％となり、底面３６１及び端面３６２ｂの光学パターン３８が省略された分、実施形態１の場合の光学効率（＝５７．９５５％）よりも小さくなるが、良好な値（比較的高い光学効率）である。このように、本実施形態でも、凸部３６２の内面での反射によって（すなわち比較的簡単な方法によって）照明光の配光を制御できる。
【００５１】
なお、本実施形態では、凸部３６２の外周側面３６２ａは、凸部３６２の外周側に凸となるように湾曲しているが、凸部３６２の内側に凸となるように湾曲してもよい。この場合も、凸部３６２の内面での反射によって（すなわち比較的簡単な方法によって）照明光の配光を制御できる。
【００５２】
（実施形態２の変形例）
（変形例１）
本変形例は、図１１Ａ及び図１１Ｂに示すように、実施形態２と比べて、端面３６２ｂが凹面である点が異なる。より詳細には、円形の端面３６２ｂは、その全範囲にわたって、底浅の半球面形の凹状に湾曲している。更に詳細には、端面３６２ｂの外周縁部Ｆ３の湾曲の曲率は、端面３６２ｂの中央部Ｆ４の湾曲の曲率よりも大きい（図１１Ｂ参照）。すなわち、中央部Ｆ４は、外周縁部Ｆ３よりも緩やかに凹状に湾曲している。
【００５３】
本変形例の導光板３の配光特性は、図１２に示すように、約−４０度〜＋４０度の範囲（すなわち広角と狭角の中間の範囲）において、光強度が大凡３００ｃｄ程度になり、大凡均等に配光している。すなわち、本変形例の導光板３の配光特性は、実施形態２の場合（図１０参照）よりも少し広角になる。このように、端面３６２ｂが凹面であることで、導光板３の配光特性をより広角にできる。また、本変形例の光学効率は、５６．２９９％となり、実施形態２の場合よりも光学効率が向上する。このように、本変形例でも、凸部３６２の内面での反射によって（すなわち比較的簡単な方法によって）照明光の配光を制御できる。
【００５４】
（変形例２）
本変形例は、図１３Ａ及び図１３Ｂに示すように、実施形態２と比べて、端面３６２ｂが凸面である点が異なる。より詳細には、端面３６２ｂは、その全範囲にわたって、底浅の半球面形の凸状に湾曲している。更に詳細には、端面３６２ｂの外周縁部Ｆ３の湾曲の曲率は、端面３６２ｂの中央部Ｆ４の湾曲の曲率よりも大きい。すなわち、中央部Ｆ４は、外周縁部Ｆ３よりも緩やかに凸状に湾曲している。
【００５５】
本変形例の導光板３の配光特性は、図１４に示すように、約−２０度〜＋２０度の範囲（すなわち狭角の範囲）において、光強度が大凡３００ｃｄ程度になり、大凡均等に配光している。すなわち、本変形例の導光板３の配光特性は、実施形態２の場合（図１０参照）よりも狭角になる。このように、端面３６２ｂが凸面であることで、導光板３の配光特性をより狭角にできる。また、本変形例の光学効率は、４６．０９８％となる。このように、本変形例でも、凸部３６２の内面での反射によって（すなわち比較的簡単な方法によって）照明光の配光を制御できる。
【００５６】
（実施形態３）
実施形態２の導光板３の反射面３６は、１つの凸部３６２を有するが（図９Ａ及び図９Ｂ参照）、本実施形態の反射面３６は、図１５Ａ及び図１５Ｂに示すように、２つの凸部（第１凸部５０及び第２凸部５１）を有する点が異なる。
【００５７】
より詳細には、図１５Ａ及び図１５Ｂに示すように、本実施形態の導光板３は、２つの凸体部（第１凸体部４０及び第２凸体部４１）を有する。第１凸体部４０及び第２凸体部４１は、導光板本体３１の裏面３１ｂから、導光板本体３１の前面３１ａ（すなわち出射面３７）から離れる向き（すなわち突出方向Ａ３）に突出している。第１凸体部４０は、出射面３７の法線Ａ１方向から見て、中央孔を有する環状（例えば円環状）である。第２凸体部４１は、出射面３７の法線Ａ１方向から見て円形である。第１凸体部４０は、導光板本体３１の裏面３１ｂの中央部に設けられている。上記の中央部は、裏面３１ｂのうちの周縁部３１ｃ以外の部分である。第２凸体部４１は、第１凸体部４０の上記の中央孔内（すなわち第１凸体部４０の内側）に配置されている。
【００５８】
本実施形態の導光板３の反射面３６は、底面３６１と、２つの凸部（第１凸部５０及び第２凸部５１）とを有する。底面３６１は、実施形態１の底面３６１と同様に形成されている。
【００５９】
第１凸部５０は、第１凸体部４０における露出した表面で構成されている。第１凸部５０は、断面逆さ略Ｕ字形（又は逆さ略Ｖ字形）の環状面状である。なお、上記の環状面とは、例えば、断面をその外側に配置された回転軸周りに回転させて得られる面である。第１凸部５０は、底面３６１から、導光板３の出射面３７から離れる向き（すなわち突出方向Ａ３）に突出している。第１凸部５０は、出射面３７の法線Ａ１方向から見て、中央孔を有する環状（例えば円環状）である。第１凸部５０は、導光板本体３１の裏面３１ｂの中央部に設けられている。
【００６０】
第１凸部５０は、外周側面５０１と内周側面５０２とを有する。
【００６１】
外周側面５０１は、上記の断面逆さ略Ｕ字（又は逆さ略Ｖ字）の外側半分の部分に対応し、内周側面５０２は、上記の断面略逆さＵ字の内側半分の部分に対応する。外周側面５０１及び内周側面５０２は、互いに間隔を空けて対向して配置されている。外周側面５０１及び内周側面５０２の各々の先端は、互いに接続されている。
【００６２】
外周側面５０１は、第１凸部５０の突出方向Ａ３における基端側から先端側に向かって、第１凸部５０の外周側に凸となるように、湾曲している。なお、このように、外周側面５０１は、凸部５０の基端側から先端側に向かって湾曲しているが、この形状は、実施形態１の外周側面３６２ａにおける基端側から先端側に向かったときの形状と同じ形状であってもよい。また、外周側面５０１は、第１凸部５０の突出方向Ａ３における基端側から先端側に向かって、内周側面５０２の側に傾斜している。内周側面５０２は、第１凸部５０の突出方向Ａ３における基端側から先端側に向かって、第１凸部５０の内周側に凸となるように、湾曲していている。また、内周側面５０２は、第１凸部５０の突出方向Ａ３における基端側から先端側に向かって、外周側面５０１の側に傾斜している。なお、上記の基端側とは、導光板本体３１側であり、上記の先端側とは、導光板本体３１から離れる方向の側である。
【００６３】
外周側面５０１と内周側面５０２は、第１凸部５０の中心軸Ａ４を含む仮想平面による断面で見たとき、中心軸Ａ４に対して対称的な形状である（図１５Ｂ参照）。
【００６４】
第２凸部５１は、第２凸体部４１における露出した表面で構成されている。第２凸部５１は、断面逆さ略Ｕ字形（又は逆さ略Ｖ字形）の回転面状である。なお、上記の回転面とは、断面をその中心を通る回転軸周りに回転させて得られる面である。第２凸部５１は、底面３６１から、第１凸部５０と同じ方向（すなわち突出方向Ａ３）に突出している。第２凸部５１は、出射面３７の法線Ａ１方向から見て円形である。第２凸部５１は、第１凸部５０の内側（すなわち上記の中央孔）に配置されている。第１凸部５０及び第２凸部５１は、互いに同心状に配置されている。
【００６５】
第２凸部５１は、外周側面５１１を有する。外周側面５１１は、第２凸部５１の突出方向Ａ３における基端側から先端側に向かって、第２凸部５１の外周側に凸となるように、湾曲していている。また、外周側面５１１は、第２凸部５１の突出方向Ａ３における基端側から先端側に向かって、第２凸部５１の内側に傾斜している。なお、上記の基端側とは、導光板本体３１側であり、上記の先端側とは、導光板本体３１から離れる方向の側である。
【００６６】
第１凸部５０の内周側面５０２の基端５０２ａと、第２凸部５１の外周側面５１１の基端５１１ａとは、周方向全体にわたって、互いに接続されている。
【００６７】
本実施形態の導光板３の配光特性は、図１６に示すように、約−６０度〜＋６０度の範囲（すなわち広角の範囲）に配光している。すなわち、本実施形態の導光板３の配光特性は、実施形態２の場合（図１０参照）よりも広角になる。このように、２つの凸部５０，５１を同心状に配置することで、導光板３の配光特性をより広角にできる。また、本変形例の光学効率は、４９．４１７％となる。このように、本実施形態でも、凸部５０，５１の内面での反射によって（すなわち比較的簡単な方法によって）照明光の配光を制御できる。
【００６８】
なお、本実施形態では、２つの凸部５０，５１を有する場合を例示するが、３つ以上の凸部を有してもよい。この場合は、中心に配置される凸部の形状を回転面状とし、その他の凸部を、互いの直径が異なる環状面状とする。そして、その他の凸部を、中心に配置される凸部の外周側に順番に同心状に配置すればよい。
【００６９】
（実施形態４）
本実施形態の導光板３は、図１７Ａ及び図１７Ｂに示すように、多角形（例えば矩形）の板状である。本実施形態の導光板３は、導光板本体３１と、凸体部３２とを有する。導光板本体３１及び凸体部３２は、出射面３７の法線Ａ１方向から見て多角形状（例えば矩形状）である。
【００７０】
凸体部３２は、導光板本体３１の裏面３１ｂから、前面３１ａ（すなわち出射面３７）から離れる方向（すなわち突出方向Ａ６）に突出するように設けられている。
【００７１】
凸体部３２の端面３２ｉの長辺の長さは、導光板本体３１の裏面３１ｂの長辺の長さと同じ長さである。凸体部３２の端面３２ｉの短辺の長さは、導光板本体３１の裏面３１ｂの短辺の長さよりも短い。なお、凸体部３２の端面３２ｉは、凸体部３２における突出方向Ａ６の先端側の面である。
【００７２】
凸体部３２及び導光板本体３１において、それらの上記の短辺同士は互いに平行であり、それらの上記の長辺同士は互いに平行である。また、凸体部３２における長手方向の両側の側面３２ｇの各々は、導光板本体３１における長手方向の両側の側面３１ｇと面一である。また、凸体部３２における短手方向の両側の側面３２ｈは、導光板本体３１における短手方向の両側の側面３１ｈよりも内側に配置されている。本実施形態では、導光板本体３１の裏面３１ｂの周縁のうち、長辺に沿った縁部３１ｃのみが露出している。
【００７３】
本実施形態の導光板３の入射面３５は、導光板本体３１の両側の側面３１ｈで構成されている。複数の光源２は、両側の入射面３５の正面に配置され、かつ、入射面３５の長手方向に沿って互いに間隔を空けて配置されている。
【００７４】
本実施形態の導光板３の反射面３６は、底面３６１と凸部３６２とを有する。凸部３６２は、凸体部３２における露出した表面（端面３２ｉ、両側の側面３２ｇ、及び両側の側面３２ｈ）で構成されている。凸部３６２は、出射面３７の法線Ａ１方向から見て多角形状（例えば矩形状）である。底面３６１は、導光板本体の縁部３１ｃで構成されている。すなわち、底面３６１は、側面３２ｈ，３１ｈ間のみに配置され、側面３２ｇ，３１ｇ間には配置されていない。両側の側面３２ｈは、凸部３６２の突出方向Ａ６の基端側から先端側に向かって、凸部３６２の内側に傾斜している。
【００７５】
本実施形態の導光板３の配光特性は、図１８に示すように、約−４０度〜＋４０度の範囲（すなわち広角と狭角の中間の範囲）において、光強度が大凡３２５ｃｄ程度になり、大凡均等に配光している。このように、２つの導光板本体３１及び凸体部３２を矩形板状に形成することで、導光板３の配光特性を広角と狭角との中間の範囲にできる。また、本変形例の光学効率は、６５．１０７％となり、実施形態１の場合の光学効率よりも向上する。本変形例でも、凸部３６２の内面での反射によって（すなわち比較的簡単な方法によって）照明光の配光を制御できる。
【００７６】
なお、本実施形態では、導光板３が矩形（すなわち四角形）の板状である場合を例示するが、四角形以外の多角形（例えば、三角形、五角形及び六角形など）でもよい。より詳細には、導光板本体３１及び凸体部３２はそれぞれ、平面視で矩形（すなわち四角形）以外の多角形でもよい。
【００７７】
なお、導光板本体３１を平面視で多角形とし、凸体部３２を平面視で円形としてもよいし、導光板本体３１を平面視で円形とし、凸体部３２を平面視で多角形としてもよい。
【００７８】
（実施形態４の変形例）
（変形例１）
実施形態４において、図１９に示すように、更に、反射面３６の凸部３６２における長手方向の両側の側面３２ｇを、導光板本体３１における長手方向の両側の側面３１ｇよりも内側に配置してもよい。これにより、側面３２ｈ，３１ｈ間だけでなく、側面３２ｇ，３１ｇ間にも、底面３６１が配置される。また、本変形例の入射面３５は、導光板本体３１の外周側面の全体（すなわち両側の側面３１ｈ及び両側の側面３１ｇ）によって構成される。したがって、複数の光源２は、導光板本体３の外周側面の全体にわたって配置される。本変形例でも、実施形態４と同様に、比較的簡単な方法（すなわち凸部３６２の内面での反射、及び底面３６１での反射）によって、照明光の配光を制御できる。
【００７９】
（実施形態５）
本実施形態に係る照明器具８０は、実施形態１に係る照明装置１を備えた照明器具である。照明器具８０は、図２０に示すように、実施形態１に係る照明装置１と、器具本体８１とを備えている。
【００８０】
器具本体８１は、照明器具３０のうちの照明装置１以外の部分であり、照明装置１を支持している。器具本体８１は、ケース８２と、前側反射板８３と、反射シート８４と、裏側反射板８５と、放熱シート８６とを備えている。
【００８１】
ケース８２は、照明装置１を収容すると共に支持する部分である。ケース８２は、前壁部８２ｂと、側壁部８２ａとを有する。前壁部８２ｂは、開口部８２ｃを有する。開口部８２ｃは、照明装置１からの出射光（すなわち照明光）を外部に照射する部分である。開口部８２ｃは、前壁部８２ｂの中央部分に設けられている。側壁部８２ａは、前壁部８２ｂの裏面の外周縁部から立ち上がるように設けられている。
【００８２】
照明装置１は、ケース８２内において、前壁部８２ｂの裏側に配置されている。導光板３の出射面３７の周縁部は、前壁部８２ｂの裏面の内周縁部（すなわち開口部８２ｃの周りの周縁部）に重なる。出射面３７の中央部は、前壁部８２ｂの開口部８２ｃから前方に露出している。なお、出射面３７の中央部は、出射面３７のうちの周縁部以外の部分である。光源２は、側壁部８２ａと導光板３の入射面３５との間に配置されている。光源２は、入射面３５に対向して配置されている。光源２は、例えばＬＥＤ（light emitting diode（発光ダイオード））２ａと、ＬＥＤ２ａを実装する基板２ｂとを有する。
【００８３】
前側反射板８３は、光源２から前壁部８２ｂの裏面側に漏れる光を導光板３内に反射する部材である。前側反射板８３は、前壁部８２ｂの裏面の内周縁部（すなわち開口部８２ｃの周りの周縁部）に配置されている。前側反射板８３の裏面のうち、一端部８３ａは、導光板３の出射面３７の周縁部に接触し、他端部８３ｂは、光源２のＬＥＤの側面に近くに配置されている。
【００８４】
反射シート８４は、導光板３の内部から反射面３６を透過して外部も漏れる光を導光板３内に反射する部材である。反射シート８４は、導光板３の反射面３６の全体を覆うように配置されている。
【００８５】
裏側反射板８５は、光源２から、光源２と導光板３との間を通過して導光板３の裏面側に漏れる光を導光板３内に反射する部材である。裏側反射板８５は、反射シート８４の裏側に配置されている。裏側反射板８５の周縁部は、光源２と導光板３との間の隙間を塞いでいる。
【００８６】
放熱シート８６は、光源２から発生した熱を吸収することで、光源２内の熱を光源２の外に放熱させる部材である。放熱シート８６は、光源２の基板２ｂの裏側に配置されている。
【００８７】
この照明器具８０では、光源２からの光Ｌ１０は、入射面３５から導光板３内に入射し、導光板３内を伝搬して出射面３７から出射される。この出射した光Ｌ１１は、照明光として、ケース８２の開口部８２ｃから外部に照射される。その際、光源２からの光Ｌ１０は、前側反射板８３及び裏側反射板８５での反射によって、入射面３５に効率良く入射される。また、入射面３５から導光板３内に入った光は、反射シート８４によって、導光板３の反射面３６で効率良く反射される。
【００８８】
なお、本実施形態の照明器具８０は、実施形態１の照明装置１を備える場合を例示するが、実施形態１に係る照明装置１の代わりに、実施形態２〜４（変形例を含む）の何れかの照明装置１を備えてもよい。
【００８９】
（実施形態５の変形例）
（変形例１）
実施形態４では、光源２は入射面３５の正面に配置されるが、図２１に示すように、光源２は裏側反射板８５の外周側に配置されてもよい。換言すれは、光源２は、導光板３の入射面３５の正面の位置から導光板３の裏側に後退した位置に配置されてもよい。この場合は、光源２は、ケース８２の前壁部８２ｂに対向して配置される。また、この場合、前側反射板８３は、円弧状に湾曲した形状である。前側反射板８３は、光源２の正面を横切るように配置される。前側反射板８３の一端部８３ａは、導光板３の裏面の周縁部に接触し、前側反射板８３の他端部８３ｂは、光源２のＬＥＤ２ａの外側の側面の近くに配置される。
【００９０】
この照明器具８０では、光源２からの光Ｌ１０は、前側反射板８３での反射によって伝搬方向が９０度曲げられて入射面３５に入射する。そして、入射面３５から導光板３内に入射した光Ｌ１０は、実施形態４の場合と同様に出射面３７から出射されて、照明光Ｌ１１として、ケース８２の開口部８２ｃから外部に照射される。
【００９１】
（まとめ）
第１の態様の照明装置（１）は、光源（２）と、導光板（３）と、を備える。導光板（３）は、光源（２）からの光を導光する。導光板（３）は、入射面（３５）と、反射面（３６）と、出射面（３７）と、を有する。入射面（３５）は、上記の光を入射する。反射面（３６）は、入射面（３５）と交差しており、入射面（３５）に入射した光であって導光板（３）内を伝搬する伝搬光を反射する。出射面（３７）は、反射面（３６）と対向し、反射面（３６）で反射した反射光を含む伝搬光を導光板（３）の外に出射する。反射面（３６）は、底面（３６１）と、凸部（３６２）と、有する。底面（３６１）は、出射面（３７）に対向する。凸部（３６２）は、底面（３６１）から、出射面（３７）から離れる向きに突出する。
【００９２】
この構成によれば、導光板（３）の反射面（３６）は、底面（３６１）から、出射面（３７）から離れる向きに突出する凸部（３６２）を有する。このため、光源（２）から導光板（３）内に入射した入射光（Ｌ１）は、凸部（３６２）の内面（外周側面３６２ａ及び端面３６２ｂ）で反射することで、導光板（３）内において様々な方向に伝搬し易くなる。このように、凸部（３６２）の内面での反射によって（すなわち比較的簡単な方法によって）、照明光の配光を制御できる。
【００９３】
第２の態様の照明装置（１）では、第１の態様において、底面（３６１）は、入射面（３５）と凸部（３６２）との間に配置されている。
【００９４】
この構成により、入射面（３５）から導光板（３）内に入射した入射光（Ｌ１）の一部（例えば光Ｌ３，Ｌ４）は、底面（３６１）で反射した後に凸部（３６２）の側に伝搬する。これにより、入射光（Ｌ１）は、凸部（３６２）の内面で反射される前に、様々な伝搬方向の光を含むことができる。このように、様々な伝搬方向の光を含む入射光（Ｌ１）が凸部（３６２）の内面で反射することで、その反射光は、より一層様々な方向に反射する光を含むことができる。このように入射面（３５）と凸部（３６２）との間に底面（３６１）を配置することで、照明光の配光を制御できる。
【００９５】
第３の態様の照明装置（１）では、第１又は第２の態様において、底面（３６１）及び端面（３６２ｂ）の少なくとも一方は、平坦な面である。端面（３６２ｂ）は、凸部（３６２）における突出方向（Ａ２）の面である。
【００９６】
この構成によれば、平坦な面（３６２ｂ）は製造コストが比較的低いため、比較的簡単な方法によって照明光の配光を制御しつつ、製造コストを低減できる。
【００９７】
第４の態様の照明装置（１）では、第１〜第３の態様の何れか１つの態様において、凸部（３６２）における突出方向（Ａ２）の端面（３６２ｂ）は、凸面又は凹面である。
【００９８】
この構成によれば、端面（３６２ｂ）が凸面であるか凹面であるかによって、出射面（３７）から出射される光の配光を異ならせることができる。端面（３６２ｂ）が凸面である場合は、出射面（３７）から出射される光（Ｌ２）のうち、出射面（３７）の法線（Ａ１）方向に出射される光の割合を増加できる。端面（３６２ｂ）が凹面である場合は、出射面（３７）から出射される光（Ｌ２）のうち、出射面（３７）の法線（Ａ１）方向から傾いた方向に出射される光の割合を増加できる。
【００９９】
第５の態様の照明装置（１）では、第１〜第４の態様の何れか１つの態様において、凸部（３６２）の側面（３６２ａ）は、凸部（３６２）の突出方向（Ａ２）における基端側から先端側に向かって、凸部（３６２）の内側に傾斜している。
【０１００】
この構成によれば、入射面（３５）から導光板（３）内に入射した入射光（Ｌ１）が凸部（３６２）の側面（３６２ａ）で反射したとき、その反射光が出射面（３７）の法線（Ａ１）方向に反射され易くなる。これにより、光学効率を向上できる。また、導光板（３）の配光特性を、出射面（３７）の法線（Ａ１）方向に出射される光をより多く含むようにできる。
【０１０１】
第６の態様の照明装置（１）では、第１〜第５の態様の何れか１つの態様において、凸部（３６２）の側面（３６２ａ）は、凸部（３６２）の突出方向（Ａ２）における基端側から先端側に向かって湾曲している。
【０１０２】
この構成によれば、凸部（３６２）の側面（３６２ａ）の湾曲に応じて、導光板（３）の配光特性を変化させることができる。
【０１０３】
第７の態様の照明装置（１）では、第１〜第６の態様の何れか１つの態様において、凸部（３６２）は、出射面（３７）の法線（Ａ１）方向から見て、円形状である。
【０１０４】
この構成によれば、凸部（３６２）は出射面（３７）の法線方向から見て円形であるため、出射面（３７）の形状が円形の導光板（３）への適用に最適である。
【０１０５】
第８の態様の照明装置（１）では、第１〜第６の態様の何れか１つの態様において、凸部（５０）を第１凸部（５０）とする。反射面（３６）は、第２凸部（５１）を更に有する。第２凸部（５１）は、第１凸部（５０）と同じ方向に突出する。第１凸部（５０）は、出射面（３７）の法線（Ａ１）方向から見て、環状である。第２凸部（５１）は、第１凸部（５０）の内側に配置されている。
【０１０６】
この構成によれば、第１凸部（５０）が環状に形成され、第２凸部（５１）が第１凸部（５０）の内側に配置されるため、出射面（３７）から出射される光（Ｌ２）のうち、出射面（３７）の法線（Ａ１）方向から傾いた方向に出射される光の割合を増加できる。すなわち、導光板（３）の配光特性をより広角にできる。
【０１０７】
第９の態様の照明装置（１）では、第７又は第８の態様の何れか１つの態様において、導光板（３）のうち導光板本体（３１）は、出射面（３７）の法線（Ａ１）方向から見て、円形の板状である。導光板本体（３１）は、出射面（３７）と底面（３６１）との間の部分である。
【０１０８】
この構成によれば、導光板本体（３１）が円形の板状であるため、出射面（３７）を円形状できる。また、導光板本体の（３１）平面視形状（すなわち円形状）は、凸部（３６２）の平面視形状（すなわち円形状）に対応する形状であるため、凸部（３６２）での反射光を出射面（３７）全体に伝搬させ易くなる。
【０１０９】
第１０の態様の照明装置（１）では、第１〜第６の態様の何れか１つの態様において、凸部（３６２）は、出射面（３７）の法線（Ａ１）方向から見て、多角形状である。
【０１１０】
この構成によれば、凸部（３６２）は出射面（３７）の法線方向から見て多角形であるため、出射面（３７）の形状が多角形の導光板（３）への適用に最適である。
【０１１１】
第１１の態様の照明装置（１）では、第１０の態様において、導光板（３）のうち導光板本体（３１）は、出射面（３７）の法線（Ａ１）方向から見て、多角形状である。導光板本体（３１）は、出射面（３７）と底面（３６１）との間の部分である。
【０１１２】
この構成によれば、導光板本体（３１）が多角形の板状であるため、出射面（３７）を多角形状にできる。また、導光板本体の（３１）平面視形状（すなわち多角形状）は、凸部（３６２）の平面視形状（すなわち多角形状）に対応する形状であるので、凸部（３６２）での反射光を出射面（３７）全体に伝搬させ易くなる。
【０１１３】
第１２の態様の照明器具は、第１〜第１１の態様の何れか１つの態様の照明装置（１）と、照明装置（１）を支持する器具本体（８１）と、を備える。
【０１１４】
この構成によれば、照明装置（１）の上記の効果を奏する照明器具（８０）を提供できる。
【符号の説明】
【０１１５】
１  照明装置
２  光源
３  導光板
３１  導光板本体
３５  入射面
３６  反射面
３７  出射面
５０  第１凸部
５１  第２凸部
８０  照明器具
８１  器具本体
３６１  底面
３６２  凸部
３６２ａ  側面
３６２ｂ  端面
Ａ１  出射面の法線
Ａ２  突出方向
Ｌ１  入射光
Ｌ２  出射光
Ｌ３，Ｌ４  入射光の一部
【図１】
2020123461.tif 000003
【図２】
2020123461.tif 000004
【図３】
2020123461.tif 000005
【図４】
2020123461.tif 000006
【図５】
2020123461.tif 000007
【図６】
2020123461.tif 000008
【図７】
2020123461.tif 000009
【図８】
2020123461.tif 000010
【図９】
2020123461.tif 000011
【図１０】
2020123461.tif 000012
【図１１】
2020123461.tif 000013
【図１２】
2020123461.tif 000014
【図１３】
2020123461.tif 000015
【図１４】
2020123461.tif 000016
【図１５】
2020123461.tif 000017
【図１６】
2020123461.tif 000018
【図１７】
2020123461.tif 000019
【図１８】
2020123461.tif 000020
【図１９】
2020123461.tif 000021
【図２０】
2020123461.tif 000022
【図２１】
2020123461.tif 000023